【手続補正書】
【提出日】平成24年2月13日(2012.2.13)
【手続補正１】
【補正対象書類名】特許請求の範囲
【補正対象項目名】全文
【補正方法】変更
【補正の内容】
【特許請求の範囲】
【請求項１】
注ぎ口（２０）を取り囲むネック部（１）と、隣接する壁部（２）と、前記ネック部の反対側にあり、製造された容器の支持基部である底部（３）とを含む容器をブロー成形するためのプリフォームであって、
前記プリフォームは第１の領域および少なくとも１つの第２の領域からなり、前記第１の領域（Ａ1、Ａ2）は第１のプラスチック材料からなり、前記少なくとも１つの第２の領域（Ｂ1、Ｂ2）は少なくとも１つの第２の材料からなり、
前記第１および第２領域は相互に異なる配色を有し、少なくとも前記底部（３）の実質的な部分が、前記第１のプラスチック材料からなる第１の層と、前記少なくとも１つの第２の材料からなる追加の第２の層（６、７、８、９、１０）とを有する多層構造からなり、前記第２の層が２つの表面層、すなわちその内の１つ（６）がプリフォームに関して外側に方向付けられ、もう一方のもの（１０）が内側に方向付けられた層を含み、中間の第２の層が間に位置付けられ（７、８、９）てコア層を構成し、さらに前記第１の層の間に位置付けられること、および前記プリフォームが単一片で構成され、前記第１の領域から前記第２の領域への境い目（Ｚ1、Ｚ2）に継ぎ目がないことを特徴とするプリフォーム。
【請求項２】
前記領域（Ｂ1、Ａ2、Ｂ2）の内の少なくとも１つが不透明および／または半透明であって、好適には着色され、および／または
前記第２の不透明、もしくは半透明の領域（Ｂ1、Ｂ2）が、前記プリフォーム（１５、１６）の前記底部（３）に限定され、
少なくとも前記第１領域（Ａ1、Ａ2）が、透明および／または濁っていない、または、前記第１および第２の材料が、少なくとも部分的に、互いに流入し、および／または前記領域が、互いに強く対照をなす着色を有することを特徴とする請求項１記載のプリフォーム。
【請求項３】
前記プリフォーム（１５）の前記領域（Ａ1、Ｂ1）の間の境い目が、分離線（Ｚ1）に存在し、前記領域（Ａ2、Ｂ2）が、前記領域（Ａ2、Ｂ2）間の対照と比較する場合に極めて弱い対照をなす境い目帯域（Ｚ2）によって分離され、前記境い目帯域（Ｚ2）が、実質的に一定の幅を有し、または、前記分離線（Ｚ1）、もしくは境い目帯域（Ｚ2）が、前記プリフォームの縦軸（ｌ）に対してほぼ垂直に伸び、ボトムエッジ（５）に対して平行であって、前記領域の着色が、実質的に均一であることを特徴とする請求項１または２記載のプリフォーム。
【請求項４】
前記追加の層（６、７、８、９、１０）の少なくとも１つが、着色染料を備える前記第２の材料のようなプラスチックの混合物からなり、前記混合物が、前記追加の第２の層（６、７、８、９、１０）の少なくとも２つのための染料と同じものを含み、および／または前記追加の第２の層の少なくとも１つにおいて、前記着色染料が、蛍光性、燐光性または発光性染料からなるリストから選ばれ、および／または少なくとも１つの第２の材料が、前記第１のプラスチック材料と同じであって、前記コア層（９）が、明確な厚み（ε）、好適には少なくとも局所的に前記底の厚みの半分まで占める厚みを有することを特徴とする請求項１〜３のいずれかに記載にプリフォーム。
【請求項５】
前記追加の内層（１０）および外層（６）のそれぞれが、実質的に前記プリフォームの壁（１５、１６）の屈曲である、底（３）の境界まで伸張し、および／または前記追加の内装（１０）および外層（６）のそれぞれが、前記ボトムエッジ（５）をかなり上回って伸び、その上限が実質的に水平であって、前記ボトムエッジ（５）に対して平行である線を形成し、および／または前記コア層（７）が、前記底から、少なくとも前記内層（１０）および外層（６）のそれぞれと同じ範囲まで伸張し、または前記コア層（８）が、前記底から、前記内層（１０）および外層（６）のそれぞれを、一定の距離（δ）として上回る高さまで伸張することを特徴とする請求項１〜４のいずれかに記載のプリフォーム。
【請求項６】
前記プリフォームの壁部（２）が、とりわけ中間の壁の層（２３）が間に含まれる基部壁の層（１９）からなる多層構造を有し、前記基部壁の層がバリア層、とりわけガスバリア層として作用し、第３のプラスチック材料から構成され、または前記バリア層（２３）が、好適には前記ネック部まで伸張する前記コア層（７、８、９）の連続であり、または
前記材料の少なくとも１つが所定量の添加剤を含み、該添加剤が、前記容器中において含まれる製品に対し悪影響を有する試薬に対して中和効果を有し、活性を有するまたは活性のないバリアが、前記プリフォームの壁部（２）において形成されることを特徴とする請求項１〜５のいずれかに記載のプリフォーム。
【請求項７】
前記中間の層（７、８、９、２３）の少なくとも１つが、流体、とりわけ液体からなり、前記材料の少なくとも１つが、セルおよび／またはポリマー中でもたらされるセル生成物によって構成される、いわゆるバイオアグリゲートからなることを特徴とする請求項１〜６のいずれかに記載のプリフォーム。
【請求項８】
請求項１〜７のいずれかに記載のプリフォーム（１５、１６、１３、１４、３１）をブロー成形することによって得られる容器の利用法であって、
容器が、光散乱媒体（３０）、特に高い拡散能を備える液体媒体、とりわけ水で充填され、または前記容器中のいかなる媒体レベル、とりわけ液体レベル（Ｎ）まで前記媒体（３０）を充填した後に、前記底に限定された着色（２５）が、前記容器のほぼ全体に渡って拡散され、または前記容器が、人工光線、とりわけ紫外線（２９）中に置かれる容器の利用法。
【請求項９】
容器中にブロー成形されることを意図されるプリフォームを射出成形するための方法であって、前記プリフォームが、注ぎ口（２０）を含むネック部（１）と、隣接する壁部（２）と、前記ネック部の反対側にあり、製造された容器の支持基部を形成するよう意図される底部（３）とを含み、前記方法が以下のステップ、すなわち、
ａ）第２の材料の第１射出工程であって、前記第２の材料が、前記プリフォームの前記底部において、外層（６）にあるモールドの冷たい表面および内層（１０）にあるコアの冷たい表面で固化するステップと、
ｂ）その後、すでに固化された前記第２の材料と接触して、実質的に前記壁およびネック部および底部の２つの層の完全な容量を構成する、前記壁部（２）および前記ネック部（１）に流入する第１の材料、とりわけＰＥＴを射出するステップと、
ｃ）最後に、前記底部において残っている容量を充填し、前記底部におけるコア層（７、８、９）を構成する第２の材料を射出するステップとを含み、
前記第２の材料のコア層（８）が、他の第２の層（６、１０）よりも距離（δ）だけさらに伸張するように、前記第１の材料の量がわずかに減らされ、最終ステップで射出される前記第２の材料の量が増やされ、または第３の材料が、前記壁部（２）において中間層（２３）を構成するように、前記第３の材料が、前記第２の材料の射出という最終ステップの前に射出されることを特徴とする方法。
【請求項１０】
射出成形において、請求項９記載のプリフォームを製造する方法であって、所定量の第１の合成材料が中空のモールドスペースに射出され、所定量の第２もしくは第３の材料が、コアの形成前に前記中空のモールドスペースにおいて射出された前記第１の合成材料の中に射出され、
第２もしくは第３の材料が前記第１の材料と異なることと、
前記中空のモールドスペースにおける射出が、前記第１の材料の一部と並行する射出であることと、
前記中空のモールドスペースの射出開口部の領域において並行に射出する場合、前記第２もしくは第３の材料が前記プリフォームから外側に射出され、前記第１の材料が前記プリフォームに関して内側に射出されることと、または
成形前に所定量の添加剤が、望ましくない影響に対する中和効果を備える前記材料の１つに加えられることと、または
射出された前記材料の少なくとも１つが、生体材料を組み込み、以下のステップ、すなわち
ａ）ポリマーが選択されるステップと、
ｂ）一連の有機体が、セル、生体および／またはセル生成物から選択されるステップと、
ｃ）前記ポリマー中で前記セルおよび／またはセル生成物を作用させることにより、集合体が形成され、いわゆるポリマーバイオアグリゲートの形状という結果を招くステップと
を含む方法によって製造され、
作用が、選択された温度間隔から選ばれた作用温度で実行され、該温度の下限が、実質的に標準の圧力条件、とりわけ実質的に１雰囲気圧下で１００℃に設定され得ることを特徴とする方法。